(57)【要約】      （修正有）【課題】複数の表示灯を、ライトガイドを用いて光らせる場合に、ライトガイドの製造と組込みを簡単にしてコストを低減し、ライトガイドの光ムラ及び漏れ光による影響を抑制する警報器を提供する。【解決手段】ガス警報器は、電源灯、ガス警報灯、ＣＯ警報灯を備え、本体とカバーで構成した筐体内に収納した回路基板上に、各表示灯に対応して発光素子を配置している。ライトガイド構造体60は、回路基板上の発光素子を覆って配置することで発光素子から光を外部に出射する電源ライトガイド62、ガス警報ライトガイド64及びＣＯ警報ライトガイド66を、配置順にフレキシブルな連結部材６８で連結している。カバー14の背面には、電源ライトガイド収納部70、ガス警報ライトガイド収納部72及びＣＯ警報ライトガイド収納部74を設けてライトガイド構造体60を収納し、各ライトガイドに設けた表側の発光面から外部に光を出すようにしている。【選択図】図４
2016128944.tif 000002
【特許請求の範囲】
【請求項１】
複数の表示灯を備えた警報器に於いて、
本体とカバーで構成した筐体内に収納した回路基板上に、前記複数の表示灯に対応して異なる所定の位置に配置した複数の発光素子と、
前記複数の発光素子を覆って配置することにより前記発光素子から光を外部に出射する複数のライトガイドをフレキシブルな連結部により配置順に連結して一部材とするライトガイド構造体と、
を設けたことを特徴とする警報器。
【請求項２】
請求項１記載の警報器に於いて、
前記回路基板は、前記ライトガイド構造体に設けた各ライトガイドに相対する前記発光素子を含む基板表面の所定領域に白色系の明るい色の印刷を施したことを特徴とする警報器。
【請求項３】
請求項１記載の警報器に於いて、更に、前記複数のライトガイドを収納すると共に前記ライトガイドの発光面を外部に露出する表示窓を形成した複数のライトガイド収納部を前記カバーの背面に設けたことを特徴とする警報器。
【請求項４】
請求項３記載の警報器に於いて、前記ライトガイド収納部は、前記ライトガイドの周囲を囲んで収納する収納リブを前記カバーの裏面に形成したことを特徴とする警報器。
【請求項５】
請求項３記載の警報器に於いて、前記ライトガイド収納部を含む前記カバー全体を白色系の明るい色の材料で形成するか、又は、前記カバー裏面の前記ライトガイド収納部を設けた部分を白色系の明るい色に着色したことを特徴とする警報器。
【請求項６】
請求項１記載の警報器に於いて、前記ライトガイド構造に設けた連結部は、両側に連結している前記ライトガイドの連結方向及び連結方向に直交する方向を含む２次元的な変位を許容する蛇腹部を途中に設けたことを特徴とする警報器。
【請求項７】
請求項１記載の警報器に於いて、前記ライトガイド構造に設けた連結部は、両側に連結している前記ライトガイドの間のカバー裏面に突出部位が存在する場合、前記突出部位を回避する屈曲部位を途中に設けたことを特徴とする警報器。
【請求項８】
請求項１記載の警報器に於いて、前記複数の表示灯として、電源供給を示す電源灯、メタンガスのガス警報を表示するガス警報灯、及びＣＯ警報を表示するＣＯ警報表示灯を設けたことを特徴とする警報器。
【請求項９】
請求項１乃至８の何れかに記載の警報器に於いて、前記ライトガイド構造体の各ライトガイドは、前記回路基板側に開口することにより前記発光素子を覆って配置する箱体を有することを特徴とする警報器。
【発明の詳細な説明】
【技術分野】
【０００１】
本発明は、ガス漏れ等の異常を検知して警報する警報器に関する。
【背景技術】
【０００２】
従来、都市ガスやプロパンガスなどの可燃性ガスのガス漏れを検知するガス警報器のガスセンサとして、半導体式ガスセンサを使用している。また、都市ガス用ガス警報器の場合、主成分であるメタンを検出しており、併せて、不完全燃焼により発生する一酸化炭素ガスを検出するようにしている。
【０００３】
ガス警報器は、所定濃度を超えるメタンガスを検知した場合はガス警報を行い、また所定濃度を超える一酸化炭素ガスを検知した場合はＣＯ警報を行うようにしており、ガス警報及びＣＯ警報はスピーカからメッセージを含む音響警報を行うと共に、ガス警報器に設けたガス警報灯を赤色に光らせ、またＣＯ警報灯を黄色に光らせて警報表示を行うようにしている。また、ガス警報器は商用ＡＣ１００Ｖの電源供給を受けて動作しており、電源灯を点灯して作動状態にあることを表示している。
【０００４】
このようにガス警報器には、電源灯、ガス警報灯及びＣＯ警報灯といった複数の表示灯を設けており、各表示灯に対応して回路基板にＬＥＤ等の発光素子を実装し、この発光素子を覆って同じ形状のライトガイドを個別に設けている。
【先行技術文献】
【特許文献】
【０００５】
【特許文献１】特開２００７−０６６０５６号公報
【発明の概要】
【発明が解決しようとする課題】
【０００６】
しかしながら、このように複数の表示灯に対応してライトガイドをガス警報器に組込み配置している従来のガス警報器にあっては、電源灯、ガス警報灯及びＣＯ警報灯に使用するライトガイドを一つずつに分けて樹脂の射出成形により製造しており、ガス警報器に３部品として個別に組み込む作業を必要とし、組立に工数がかかり、その分、コストアップとなっている。
【０００７】
また、電源灯、ガス警報灯及びＣＯ警報灯のライトガイドを１つのライトガイドとして形成してカバー開口から差し込み固定し、基板側に２箇所の仕切りを設けてライトガイドの内部を３つのライトガイド領域に分けた構造のものもあるが、電源灯は常時点灯していることから、電源灯のライトガイド領域から漏れ出した光が、隣接したガス警報灯やＣＯ警報灯のライトガイド領域に入り込み、この漏れ光によりガス警報灯及びＣＯ表示灯を僅かに光らせており、設置場所が明るい場合は問題ないが、暗い場合ではガス警報灯及びＣＯ表示灯が薄く光って目立つようになる問題がある。
【０００８】
また、カバー裏面のライトガイド収納部にライトガイドを収納して本体側に配置すると、ライトガイドは回路基板に配置した発光素子を覆うようになるが、ライトガイドは内部に配置している発光素子から直接受けた光を外部に導光していることから、ライトガイドの表示窓に対応した発光面が均一に光らずに光ムラを起す問題がある。
【０００９】
本発明は、複数の表示灯を、ライトガイドを用いて光らせる場合に、ライトガイドの組込みを簡単にしてコストを低減し、ライトガイドの光ムラ及び漏れ光による影響を抑制可能とした警報器を提供することを目的とする。
【課題を解決するための手段】
【００１０】
（警報器）
本発明は、複数の表示灯を備えた警報器に於いて、
本体とカバーで構成した筐体内に収納した回路基板上に、複数の表示灯に対応して異なる所定の位置に配置した複数の発光素子と、
複数の発光素子を覆って配置することにより発光素子から光を外部に出射する複数のライトガイドをフレキシブルな連結部により配置順に連結して一部材とするライトガイド構造体と、
を設けたことを特徴とする。
【００１１】
（均一に光らせる構造）
回路基板は、ライトガイド構造体に設けた各ライトガイドに相対する発光素子を含む基板表面の所定領域に白色系の明るい色の印刷を施す。
【００１２】
（ライトガイド収納部）
更に、複数のライトガイドを収納すると共にライトガイドの発光面を外部に露出する表示窓を形成した複数のライトガイド収納部をカバーの背面に設ける。
【００１３】
ライトガイド収納部は、ライトガイドに設けた箱体の周囲を囲んで収納する収納リブをカバーの裏面に形成する。
【００１４】
（ライトガイド収納部の色彩）
ライトガイド収納部を含むカバー全体を白色系の明るい色の材料で形成するか、又は、カバー裏面のライトガイド収納部を設けた部分を白色系の明るい色に着色する。
【００１５】
（ライトガイド連結部の蛇腹構造）
ライトガイド構造に設けた連結部は、両側に連結しているライトガイドの連結方向及び連結方向に直交する方向を含む２次元的な変位を許容する蛇腹部を途中に設ける。
【００１６】
（カバー側突出部位を回避するライトガイド連結部の構造）
ライトガイド構造に設けた連結部は、両側に連結しているライトガイドの間のカバー裏面に突出部位が存在する場合、突出部位を回避する屈曲部位を途中に設ける。
【００１７】
（表示灯の種類）
複数の表示灯として、電源供給を示す電源灯、メタンガスのガス警報を表示するガス警報灯、及びＣＯ警報を表示するＣＯ警報表示灯を設ける。
【００１８】
（ライトガイドの箱体）
ライトガイド構造体の各ライトガイドは、回路基板側に開口することにより発光素子を覆って配置する箱体を有する。
【発明の効果】
【００１９】
（基本的な効果）
本発明は、複数の表示灯を備えた警報器に於いて、本体とカバーで構成した筐体内に収納した回路基板上に、前記複数の表示灯に対応して異なる所定の位置に配置した複数の発光素子と、複数の発光素子を覆って配置することにより発光素子から光を外部に出射する複数のライトガイドをフレキシブルな連結部により配置順に連結して一部材とするライトガイド構造体とを設けるようにしたため、複数のライトガイドを連結部により連結して一部材のライトガイド構造体としているため、警報器に一部品としてライトガイド構造体を組み込むことを可能とし、ライトガイドを個別に分けて複数回の組付けを必要とした場合に比べ、組立作業工数及び単価を、例えば表示灯の数をＮ個とすると、概ね１／Ｎに低減可能とする。
【００２０】
また、形の異なる複数のライトガイドを連結部で連結したライトガイド構造体用は、単一の金型を準備して一部品としての製造を可能とし、ライトガイドの種類に対応した複数の金型と複数回の組付けを必要とする場合に比べ、製造コストを低減可能とする。
【００２１】
（均一に光らせる構造による効果）
また、回路基板は、ライトガイド構造体に設けた各ライトガイドに相対する発光素子を含む基板表面の所定領域に白色系の明るい色の印刷を施すようにしたため、発光素子からの光は直接ライトガイドに入射すると共に一部の光が反射率の高い印刷面で乱反射してライトガイドに入射し、表示窓に対応したライトガイドの発光面を均一に光らせ、光ムラを無くすことを可能とする。
【００２２】
（ライトガイド収納部）
更に、複数のライトガイドを収納すると共にライトガイドの発光面を外部に露出する表示窓を形成した複数のライトガイド収納部をカバーの背面に設け、ライトガイド収納部は、ライトガイドに設けた箱体の周囲を囲んで収納する収納リブをカバーの裏面に形成し、更に、ライトガイド収納部を含むカバー全体を白色系の明るい色の材料で形成するか、又は、カバー裏面のライトガイド収納部を設けた部分を白色系の明るい色に着色するようにしたため、カバー裏面に形成した例えば白色系の明るい色の部材で作られたカバーと一体に設けた収納リブで囲むようにしたライトガイド収納部にライトガイドを収納することで、収納リブの乱反射によりライトガイドの発光面を均一に光らせて光ムラを無くすことを可能とし、更に、ライトガイドの周囲を囲んで収納リブが位置することで、ライトガイドから外部への漏れ光が低減し、例えば常時点灯している表示灯がある場合にその漏れ光により、非点灯状態にある表示灯のライトガイドが警報器の場所が暗い場合に薄く光って目立つといった不具合を解消可能とする。
【００２３】
（ライトガイド連結部の蛇腹構造）
また、ライトガイド構造に設けた連結部は、両側に連結しているライトガイドの連結方向及び連結方向に直交する方向を含む２次元的な変位を許容する蛇腹部を途中に設けるようにしたため、警報器カバーに形成した複数のライトガイド収納部と一部材として製造したライトガイド構造体との間に寸法的なずれがあっても、連結部の途中に蛇腹部を設けたことで、連結部が容易に伸び縮みすることで、ライトガイドをライトガイド収納部に容易に組み込むことを可能とし、ライトガイド構造体は高い寸法精度を必要とせず、製造歩留りを高めて部品コストを低減可能とする。
【００２４】
（カバー側突出部位を回避するライトガイド連結部の構造）
また、ライトガイド構造に設けた連結部は、両側に連結しているライトガイドの間のカバー裏面に突出部位が存在する場合、突出部位を回避する屈曲部位を途中に設けるようにしたため、警報器内に複数のライトガイドを分散配置してその間にねじ込み用のボスや仕切用のリブ等の突出部位が存在しても、この突出部位を回避する屈曲部を連結部に設けておくことで、ケースの内部構造に阻害されることなく、ライトガイド構造体を簡単且つ容易に警報器に組込み配置可能とする。
【００２５】
（ライトガイドの箱体による効果）
また、ライトガイド構造体の各ライトガイドは、回路基板側に開口することにより発光素子を覆って配置する箱体を有するようにしたため、開口に相対した箱体の外面が発光面として利用でき、表示灯の発光面が広い場合に好適である。
【図面の簡単な説明】
【００２６】
【図１】ガス警報器の実施形態を示した説明図
【図２】ガス警報器の機能構成を示したブロック図
【図３】ライトガイド構造体を示した説明図
【図４】カバーに対するライトガイド構造体の組立分解状態を示した説明図
【図５】ライトガイド構造体を組み込んだカバーを示した説明図
【図６】ガス警報器の組立分解状態を示した説明図
【図７】ライトガイドを配置する回路基板の部分を取り出して示した説明図
【図８】ガス警報灯のライトガイド組込み構造を示した断面図
【図９】ライトガイド及びその組込み構造の他の実施形態を示した断面図
【発明を実施するための形態】
【００２７】
［ガス警報器の概要］
図１はガス警報器の外観を示した説明図であり、図１（Ａ）に斜視図を示し、図１（Ｂ）に側面図を示す。
【００２８】
図１に示すように、ガス警報器１０は、本体１２とカバー１４で構成している。本実施形態のガス警報器１０は天井面に設置して使用され、本体１２となる図示の下側を天井面に設置した取付ベースに着脱自在に嵌合して取付可能としている。
【００２９】
カバー１２の表面（天井設置で下向きとなる面）には、複数の表示灯として電源灯１６、ガス警報灯１８及びＣＯ警報灯２０を設けている。電源灯１６は商用ＡＣ１００Ｖによる電源供給状態で例えば緑色に常時点灯している。ガス警報灯２０は、メタンガスの注意警報（予備警報）で赤色に点滅し、メタンガスのガス警報で赤色に点灯する。ＣＯ警報灯２０は、一酸化炭素ガスのＣＯ注意報（予備警報）で黄色に点滅し、一酸化炭素ガスのＣＯ警報で黄色に点灯する。
【００３０】
また電源灯１６、ガス警報灯１８及びＣＯ警報灯２０は発光面の形状が異なっており、電源灯１６は矩形の表示窓７０ｃの中に位置するライトガイドの発光面が緑色に光り、ガス警報灯１８は１本の表示窓７２ｃの中に位置するライトガイドの発光面が赤色に光り、ＣＯ警報灯２０は２本の表示窓７４ｃの中に位置するライトガイドの発光面が黄色に光るようにしている。なお、ガス警報灯１８における表示窓７２ｃの両側の２本は、表示窓７２ｃと同じ形状の窪みであり、また、ＣＯ警報灯２０における表示窓７４ｃの真ん中の１本は、表示窓７４ｃと同じ形状の窪みであり、いずれもデザインを考慮したものである。
【００３１】
また本体１２及びカバー１４の周側面にはガス流入部２２を開口し、内部に設けたガスセンサに外気を導入してメタンガスや一酸化炭素ガスを検知可能としている。本体１２の図示で下側となる面（取付状態で天井側となる面）には一対の嵌合端子金具１５を起立し、天井面に設置した取付ベースに嵌合端子金具１５を嵌め入れて回すことで、電気的且つ機械的に接続し、嵌合天使金具１５を介して商用ＡＣ１００Ｖの電源供給を受けるようにしている。
【００３２】
［ガス警報器の機能構成］
図２はガス警報器の機能構成を示したブロック図である。図２に示すように、本実施形態のガス警報器は、制御部２８、メタン（ＣＨ４）及び一酸化炭素ガスを検知するガスセンサ３０、センサ駆動部３２、メモリ部３４、スイッチ部３６、表示部３８、音響警報部４０、移報部４２及び電源回路部４４で構成している。
【００３３】
ガス警報器は、電源回路部４４により商用ＡＣ１００Ｖから所定の直流電圧に変換した電源供給を受けて動作する。
【００３４】
制御部２８はＣＰＵ、各種の入出力ポート等を備えたマイクロプロセッサ等のコンピュータ回路等とし、ＣＰＵによるプログラムの実行により、検知対象ガスとなるメタンガスと一酸化炭素ガスの警報の判断、故障判断及び各回路部の制御等を行う。
【００３５】
スイッチ部３６は、図１に示した警報停止スイッチ２６や点検スイッチ等を備え、各スイッチの状態を監視し、スイッチ操作に応じた操作信号を制御部２８に出力する。
【００３６】
表示部３８は、ＬＥＤと後述するライトガイド構造体を用いた緑色に光る電源灯１６、赤色に光るガス警報灯１８及び黄色に光るＣＯ警報灯２０を備え、電源回路部４４からの電源供給で電源灯１６を点灯し、制御部２８の指示により、メタンガスの注意報（予備警報）でガス警報灯１８を点滅し、ガス警報でガス警報灯１８を点灯し、また、一酸化炭素ガスの注意報でＣＯ警報灯２０を点滅し、ＣＯ警報でＣＯ警報灯２０を点灯し、更に、ヒータ断線、ヒータ電圧異常、スピーカ断線、ガスセンサ抵抗異常等の障害検出で電源灯１６を点滅する。
【００３７】
制御部２８は、センサ駆動部３２に、所定周期のヒータ加熱制御に対応してメタン選択信号とＣＯ選択信号を順次出力したタイミングでガスセンサ３０からの各ガス濃度検出電圧を取り込んでＡ／Ｄ変換し、バッファメモリに書込んで記憶する制御を行う。
【００３８】
また、制御部２８は、ガスセンサ３０により検知されたメタンガス又は一酸化炭素ガスの濃度が予め設定された所定の第１閾値濃度ＴＨ１以上となった場合に、表示部３８及び音響警報部４０に指示してガス濃度の注意報を出力する制御を行う。
【００３９】
また、制御部２８は、ガスセンサ３０により検知されたメタンガス又は一酸化炭素ガスの濃度が第１閾値濃度ＴＨ１より高い予め設定された所定の第２閾値濃度ＴＨ２以上となった場合に、表示部２０及び音響警報部２２に指示してガス濃度のガス警報を出力する制御を行う。
【００４０】
［ライトガイドによる表示構造］
（ライトガイド構造体）
図３はライトガイド構造体を示した説明図である。図３に示すように、ライトガイド構造体６０は、図１に示した電源灯１６、ガス警報灯１８及びＣＯ警報灯２０に対応して電源ライトガイド６２、ガス警報ライトガイド６４及びＣＯ警報ライトガイド６６を備え、配置順にフレキシブルな連結部材６８で隣接同士を連結している。
【００４１】
このように電源ライトガイド６２、ガス警報ライトガイド６４及びＣＯ警報ライトガイド６６をフレキシブルな連結部６８により配置順に連結して一部材となるライトガイド構造体６０としたため、電源ライトガイド６２、ガス警報ライトガイド６４及びＣＯ警報ライトガイド６６の製造に単一の金型を準備して一部品となるライトガイド構造体６０としての製造を可能とし、金型含む製造部品単価を低減可能とする。
【００４２】
電源ライトガイド６２、ガス警報ライトガイド６４及びＣＯ警報ライトガイド６６は、乳白色または透明な導光材料で作っており、基板側に開口した箱体６２ａ，６４ａ，６６ａの表側に発光凸部６２ｂ，６４ｂ，６６ｂを突出して形成しており、回路基板側に配置したＬＥＤなどの発光素子からの光を箱体６２ａ，６４ａ，６６ａの内部から受け、カバー側の表示窓に対応した発光凸部６２ｂ，６４ｂ，６６ｂを通して外部に光を透過し、これにより発光凸部６２ｂ，６４ｂ，６６ｂの外側の面が発光面として光ることになる。
【００４３】
また、電源ライトガイド６２は矩形の発光凸部６２ｂを形成し、ガス警報ライトガイド６４は棒状となる１本の発光凸部６４ｂを形成し、更にＣＯ警報ライトガイド６６は棒状となる２本の発光凸部６６ｂを形成している。
【００４４】
ここで、電源ライトガイド６２は緑色を発光する発光素子からの光を受けて緑色に光り、ガス警報ライトガイド６４は赤色を発光する発光素子からの光を受けて赤色に光り、ＣＯ警報ライトガイド６６は黄色を発光する発光素子からの光を受けて黄色に光る。
【００４５】
電源ライトガイド６２、ガス警報ライトガイド６４及びＣＯ警報ライトガイド６６の箱体６４ａ，６４ａ，６６ａにおける開口側の外側面には微小な嵌合リブ６２ｃ，６４ｃ，６６ｃを設け、後の説明で明らかにするカバー内側のライトガイド収納部に挿入した場合に嵌合リブ６２ｃ，６４ｃ，６６ｃによる固定を行う。
【００４６】
ライトガイド構造６０に設けた連結部６８は、両側に連結しているライトガイドの途中に蛇腹部６８ａを設け、ライトガイドの連結方向及び連結方向に直交する方向を含む２次元的な変位を許容している。また、電源ライトガイド６２とガス警報ライトガイド６４を連結する図示左側の連結部６８は、ライトガイドの間のカバー裏面に突出部位が存在する場合、この突出部位を回避する屈曲部６８ｂを途中に設けている。
【００４７】
（ライトガイド構造体のカバー組付け）
図４はカバーに対するライトガイド構造体の組立分解状態を示した説明図、図５はライトガイド構造体を組み込んだカバーを示した説明図であり、図５（Ａ）は斜視図を示し、図５（Ｂ）はライトガイド構造体に組込み部分を取り出して平面図で示している。
【００４８】
図４及び図５に示すように、カバー１４の裏面には、図１に示した電源灯１６、ガス警報灯１８及びＣＯ警報灯２０に対応して、電源ライトガイド収納部７０、ガス警報ライトガイド収納部７２及びＣＯ警報ライトガイド収納部７４を設けている。
【００４９】
電源ライトガイド収納部７０、ガス警報ライトガイド収納部７２及びＣＯ警報ライトガイド収納部７４は、収納するライトガイドの周囲を囲むように収納リブ７０ａ，７２ａ，７４ａを起立して形成しており、収納リブ７０ａ，７２ａ，７４ａの開口端に、ライトガイド構造体６０の連結部６８を嵌め入れる切欠７０ｂ，７２ｂ，７４ｂを形成している。
【００５０】
電源ライトガイド収納部７０、ガス警報ライトガイド収納部７２及びＣＯ警報ライトガイド収納部７４を形成する収納リブ７０ａ，７２ａ，７４ａとしては、カバー１４と一体に形成することから、収納リブ７０ａ，７２ａ，７４ａを含むカバー１４を白色系の明るい色となる合成樹脂により作っており、収納リブ７０ａ，７２ａ，７４ａ及びその内部はカバー１４と同じ白色系の明るい色となる。
【００５１】
また、カバー１４が暗めの色となる場合には、収納リブ７０ａ，７２ａ，７４ａ及びその内部を白色系の明るい色に着色するようにしても良い。
【００５２】
また収納リブ７０ａ，７２ａ，７４ａで囲んだ電源ライトガイド収納部７０、ガス警報ライトガイド収納部７２及びＣＯ警報ライトガイド収納部７４の内部となるカバー１４の部分には、電源ライトガイド６２、ガス警報ライトガイド６４及びＣＯ警報ライトガイド６６に設けている発光凸部６２ｂ，６４ｂ，６６ｂを嵌め入れて発光面を外部に露出するための表示窓を、図１及び図５（Ｂ）に示す表示窓７０ｃ，７２ｃ，７４ｃのように開口している。
【００５３】
また、ライトガイド構造体６０は、カバー１４の電源ライトガイド６２、ガス警報ライトガイド６４及びＣＯ警報ライトガイド６６の配置に対応した寸法精度を必要とするが、電源ライトガイド６２、ガス警報ライトガイド６４及びＣＯ警報ライトガイド６６の間を配置順にフレキシブルな連結部６８で連結し、また、伸縮自在な蛇腹部６８ａを設けているため、高い寸法精度がなくとも、電源ライトガイド６２、ガス警報ライトガイド６４及びＣＯ警報ライトガイド６６を容易に動かして電源ライトガイド収納部７０、ガス警報ライトガイド収納部７２及びＣＯ警報ライトガイド収納部７４に位置合わせして嵌め入れることができる。
【００５４】
また、カバー１４の電源ライトガイド収納部７０とガス警報ライトガイド収納部７２の間には、ねじ止め用のボス７６を起立しているが、この部分に位置する連結部６８には屈曲部６８ｂを予め形成しており、屈曲部６８ｂによりボス７６を回避した状態で組み込むことができ、カバー１４の内側の突起形状に阻害されることなく、カバー１４の裏側にライトガイド構造体６０を組み込むことを可能とする。
【００５５】
（カバーと本体の組立て）
図６はガス警報器の組立分解状態を示した説明図、図７はライトガイドを配置する回路基板の部分を取り出して示した説明図、図８はガス警報灯のライトガイド組込み構造を示した断面図である。
【００５６】
図６に示すように、本体１２に対しカバー１４を組付けてねじ５５で固定することで、図１に示すガス警報器１０を組立可能とする。本体１２には図２に示した回路機能を実装した回路基板４６を設け、カバー１４に設けた電源灯１６の配置位置に対応して回路基板４６上に緑色ＬＥＤチップを用いた電源用発光素子４８を設置し、またカバー１４に設けたガス警報灯１８の配置位置に対応して回路基板４６上に赤色ＬＥＤチップを用いたガス警報用発光素子５０を設置し、更に、カバー１４に設けたＣＯ警報灯２０の配置位置に対応して回路基板４６上に黄色ＬＥＤチップを用いたＣＯ警報用発光素子５２を設置している。
【００５７】
電源用発光素子４８、ガス警報用発光素子５０及びＣＯ警報用発光素子５２を配置した回路基板４６の部分には、図５に示したように、カバー１４に収納したライトガイド構造体６０に設けた電源ライトガイド６２、ガス警報ライトガイド６４及びＣＯ警報ライトガイド６６の箱体６２ａ，６４ａ，６６ａの開口が位置し、電源用発光素子４８、ガス警報用発光素子５０及びＣＯ警報用発光素子５２を配置した回路基板４６の外側を覆うように組付ける。
【００５８】
図８に示すガス警報灯２０のライトガイド組込み構造を参照すると、ガス警報ライトガイド６４はカバー１４の内側に形成したガス警報ライトガイド収納部７２に収納され、箱体６４ａの発光凸部６４ｂをカバー１４に開口した表示窓７２ｃの中に嵌め入れており、箱体６４ａの開口部には回路基板４６に実装したガス警報用発光素子（赤色ＬＥＤ）５０の発光面が基板面と略面一に位置している。
【００５９】
このためガス警報用発光素子５０からの光はその大部分がガス警報ライトガイド６４に入射し、また、光の一部が基板面及び箱体６４ａの内面で乱反射してガス警報ライトガイド６４に入射する。このようなライトガイド組込み構造は、電源点灯及びＣＯ警報灯についても基本的に同じになる。
【００６０】
ここで、電源ライトガイド６２、ガス警報ライトガイド６４及びＣＯ警報ライトガイド６６の開口に相対した電源用発光素子４８、ガス警報用発光素子５０及びＣＯ警報用発光素子５２を含む矩形の領域は、図６に取り出して示すように、反射印刷領域５４，５６，５８としており、白色系の明るい色による印刷を施している。
【００６１】
このように電源ライトガイド６２、ガス警報ライトガイド６４及びＣＯ警報ライトガイド６６の内部となる回路基板４６の領域を反射印刷領域５４，５６，５８としたことで、電源用発光素子４８、ガス警報用発光素子５０及びＣＯ警報用発光素子５２から直接各ライトガイドに入射する光に加え、一部の光は基板面の反射印刷領域５４，５６，５８及び箱体６２ａ，６４ａ，６６ａの内面で乱反射して各ライトガイドに入射し、図１及び図５（Ｂ）に示したカバー１２の表示窓７０ｃ，７２ｃ，７４ｃを介して外部に露出している発光面をムラなく均一に光らせることができる。
【００６２】
また、電源ライトガイド６２、ガス警報ライトガイド６４及びＣＯ警報ライトガイド６６は、図５に示したように、白色系の明るい色をもつ収納リブ７０ａ，７２ａ，７４ａで囲んだ電源ライトガイド収納部７０、ガス警報ライトガイド収納部７２及びＣＯ警報ライトガイド収納部７４の中に収納しているため、ライトガイドの周囲は２重の壁で囲まれることとなり、例えば常時点灯している電源ライトガイド６２からカバー１４内に漏れ出す光は大きく減衰し、ガス警報ライトガイド６４及びＣＯ警報ライトガイド６６の内部に入って光らせるようなことはなく、暗い場所であっても、点灯している電源灯１６の漏れ光を受けてガス警報灯１８及びＣＯ警報灯２０が薄く光って目立つようなことはない。
【００６３】
（ライトガイド組込み構造の他の実施形態）
図９はライトガイド及びその組込み構造の他の実施形態を示した断面図である。図９に示すように、本実施形態は電源灯１８を例にとっており、電源ライトガイド６２は箱体をもたない例えば円柱又は角柱の中実部材であり、カバー１４の内側に形成した電源ライトガイド収納部７０に収納され、外側端面をカバー１４に開口した表示窓７０ｃの中に嵌め入れて発光面としており、内側端面を回路基板４６に実装した電源用発光素子（緑色ＬＥＤ）４８の基板面と略面一となる発光面に接触させている。このため電源用発光素子４８からの光は電源ライトガイド６２に直接入射して光らせることができる。
【００６４】
この図９に示すライトガイド及びその組込み構造は、例えば図１に示した電源灯１８のように小さい発光面の場合に好適であり、一方、ガス警報灯１８やＣＯ警報灯２０のように発光面が広い場合には、図８に示した箱体を用いたライトガイド及びその組込み構造が好適である。
【００６５】
［本発明の変形例］
上記の実施形態は、複数の表示灯を備えたガス警報器を例にとるものであったが、本発明は、これに限定されず、複数の表示灯を備え、ライトガイドを使用して表示灯を光らせるものであれば、適宜の装置及び機器につき、そのまま適用することができる。
【００６６】
また、本発明はその目的と利点を損なうことのない適宜の変形を含み、更に上記の実施形態に示した数値による限定は受けない。
【符号の説明】
【００６７】
１０：ガス警報器
１２：本体
１４：カバー
１５：嵌合端子金具
１６：電源灯
１８：ガス警報灯
２０：ＣＯ警報灯
２２：ガス流入部
２４：音響孔
２６：警報停止スイッチ
４８：電源用発光素子
５０：ガス警報用発光素子
５２：ＣＯ警報用発光素子
５４，５６，５８：反射印刷領域
６０：ライトガイド構造体
６２：電源ライトガイド
６２ａ，６４ａ，６６ａ：箱体
６２ｂ，６４ｂ，６６ｂ：発光凸部
６２ｃ，６４ｃ，６６ｃ：嵌合リブ
６４：ガス警報ライトガイド
６６：ＣＯ警報ライトガイド
６８：連結部
６８ａ：蛇腹部
６８ｂ：屈曲部
７０：電源ライトガイド収納部
７０ａ，７２ａ，７４ａ：収納リブ
７０ｂ，７２ｂ，７４ｂ：切欠
７０ｃ，７２ｃ，７４ｃ：表示窓
７２：ガス警報ライトガイド収納部
７４：ＣＯ警報ライトガイド収納部
【図１】
2016128944.tif 000003
【図２】
2016128944.tif 000004
【図３】
2016128944.tif 000005
【図４】
2016128944.tif 000006
【図５】
2016128944.tif 000007
【図６】
2016128944.tif 000008
【図７】
2016128944.tif 000009
【図８】
2016128944.tif 000010
【図９】
2016128944.tif 000011